(57)【要約】      （修正有）【課題】食品の販売及び陳列を目的とする冷凍・冷蔵ショーケースの内、圧縮式冷凍装置を設置する機械室と商品の陳列室を構成する箱体とを一体とした内蔵形ショーケースにおいて、冷凍機類ユニットの廃熱により、制御盤内が温度上昇を起こすことの対策として、排気に頼らずに制御盤内の電子部品などの温度低減を行うことができる。【解決手段】内部に凝縮器や圧縮機などにより構成される冷凍装置や、電装ボックスや、ドレン水受けを設置したショーケース本体の下部に形成される機械室において、電装ボックスの制御装置の放熱板１０間に金属製または合成樹脂製の耐熱チューブ１２を蛇行させて配設し、この耐熱チューブ１２に冷媒としての液体を流す。液体はドレン水であり、ドレンポンプより汲み上げる。【選択図】図１
2011252691.tif 000002
【特許請求の範囲】
【請求項１】
内部に凝縮器や圧縮機などにより構成される冷凍装置や、電装ボックスや、ドレン水受けを設置したショーケース本体の下部に形成される機械室において、電装ボックスの制御装置の放熱板間に金属製または合成樹脂製の耐熱チューブを蛇行させて配設し、この耐熱チューブに冷媒としての液体を流すことを特徴とするショーケースの機械室。
【請求項２】
液体はドレン水であり、ドレンポンプにより汲み上げる請求項１記載のショーケースの機械室。
【請求項３】
蛇行する耐熱チューブ通過後のドレン水は、ドレン水受けに流す請求項２記載のショーケースの機械室。
【請求項４】
ドレンポンプは、ドレン水受けの水位検知装置の出力をもって駆動制御する請求項２記載のショーケースの機械室。
【発明の詳細な説明】
【技術分野】
【０００１】
本発明は、冷凍・冷蔵ショーケースのうち内蔵形ショーケースの機械室に関するものである。
【背景技術】
【０００２】
スーパーマーケットなどの店舗に設置されるオープンタイプの縦型冷凍冷蔵ショーケースは、図４に示すようにショーケース本体の下部に形成される機械室３内に凝縮器２や圧縮機５などにより構成される冷凍装置を配設し、ショーケース本体の背面側に設置した冷却器で冷却した冷気で商品収納庫１内に収納した商品を冷却するもので、冷気は循環される。図中４はドレン水受け、９は水位検知装置としての超音波センサ、６は蒸発板、７はショーケースコントローラとしての電装ボックスで、この電装ボックス７の内部にはインバータ駆動基板その他の制御装置が収められる。
【０００３】
また、８は電装ボックス７に設けた満水警報ランプである。
【０００４】
超音波センサ９は下記特許文献１にも示すように、水位センサとして使用されるもので、ドレン水受け４の上方に設置され、ここから水面に向けて発信した超音波が水面に反射して戻り受信されるまでの時間を計測して超音波センサ９と水面との距離、すなわち水位を計測するものである。
【特許文献１】特開２００７−３３３２８１号公報
【０００５】
ところで、内蔵形の冷凍・冷蔵ショーケースが店舗に設置される場合、冷凍機類ユニットは化粧パネルやその他の外板で囲んだ架台内の機械室に収納されていて、冷凍機類ユニットからの廃熱は、前記化粧パネルや外板に設けた廃熱口から自然に又はファン等で強制的に外部に排出していたが、左右に他のケース、背面に壁などという状況があると、十分な排気ができない。
【０００６】
その結果、凝縮器の吸込み温度や機械室の雰囲気温度が上昇することで、電子基板部品の温度が上昇し、保護が働き、通常の運転状態が保てない場合があった。
【０００７】
下記特許文献２は、制御盤内の温まった空気を排気ファンにより化粧パネルで囲まれた架台内に排出するとともに、該制御盤からの排出温暖空気と冷凍サイクル構成機器からの廃熱とを、共に排出可能な廃熱ファンによって外部に排出するようにした冷凍機類ユニットの廃熱構造を提供するものである。
【特許文献２】特開平７−２９４０９３号公報
【０００８】
この特許文献２は、ショーケースや冷蔵庫等の冷凍冷蔵機器を冷却するための冷凍サイクルを構成する圧縮機、受液器、アキュームレータ等の機器と、該冷凍サイクルを制御するための制御盤とを架台内部に収納し、該架台の周囲に遮音材による防音処理を施した化粧パネルを取り付けてなる冷凍機類ユニットの廃熱構造において、前記制御盤の側壁に制御盤内部の熱を架台内に排出する排気口及び排気ファンを設け、前記化粧パネルからなる側板の上部位置又は天板に前記制御盤内部からの熱と前記冷凍サイクルを構成する圧縮機、受液器、アキュームレータ等の機器からの廃熱とを排出するための廃熱口及び廃熱ファンを設けたものである。
【０００９】
この特許文献２によれば、冷凍機類ユニットの廃熱により、従来、制御盤内は温度上昇を起こしていたが、排気ファンによる強制換気を行う排気口を設けたことで、制御盤内の温度上昇を抑制できる。
【００１０】
また、制御盤の排気口を外部に直接向けて設けた場合には、排気口から塵埃や水分等が入り込み、制御盤内の機器に悪影響を与えるおそれがあるが、化粧パネルで囲まれた架台内に一旦排気し、次いでその排気された空気を冷凍機類ユニットからの廃熱と共に天板等に設けた廃熱口より廃熱ファンで強制的に外部に排出するようにしたので、制御盤内に外部からの塵埃や水分等が侵入することはない。
【発明の開示】
【発明が解決しようとする課題】
【００１１】
前記特許文献２では、凝縮器の吸込み温度や機械室の雰囲気温度が上昇することで、電子基板部品の温度が上昇し、保護が働き、通常の運転状態が保てないことの対策として、制御盤からの排出温暖空気と冷凍サイクル構成機器からの廃熱を排気ファンにより排出すること行っているが、このような排気ファンにより排出では、塵埃や水分その他の異物が制御盤内に侵入しないようにする工夫が必要となる。
【００１２】
前記特許文献２では、これを化粧パネルで囲まれた架台内に一旦排気し、次いでその排気された空気を冷凍機類ユニットからの廃熱と共に天板等に設けた廃熱口より廃熱ファンで強制的に外部に排出するようにするという２段階の排気を行わなければならず、効率が悪く、また、ファンの数も多くなり、構造も複雑となる。
【００１３】
本発明の目的は前記従来例の不都合を解消し、食品の販売及び陳列を目的とする冷凍・冷蔵ショーケースの内、圧縮式冷凍装置を設置する機械室と商品の陳列室を構成する箱体とを一体とした内蔵形ショーケースにおいて、冷凍機類ユニットの廃熱により、制御盤内が温度上昇を起こすことの対策として、排気に頼らずに制御盤内の電子部品などの温度低減を行うことができるショーケースの機械室を提供することにある。
【課題を解決するための手段】
【００１４】
前記目的を達成するため請求項１記載の本発明は、内部に凝縮器や圧縮機などにより構成される冷凍装置や、電装ボックスや、ドレン水受けを設置したショーケース本体の下部に形成される機械室において、電装ボックスの制御装置の放熱板間に金属製または合成樹脂製の耐熱チューブを蛇行させて配設し、この耐熱チューブに冷媒としての液体を流すことを要旨とするものである。
【００１５】
請求項１記載の本発明によれば、放熱板の谷間の部分に耐熱チューブを通し、その中に冷媒としての液体を流す。これにより、インバータ駆動基板の放熱板の熱を奪い、電子部品などの温度低減を行うことができる。
【００１６】
請求項２記載の本発明は、液体はドレン水であり、ドレンポンプにより汲み上げることを要旨とするものである。
【００１７】
請求項２記載の本発明によれば、前記請求項１の作用に加えて、冷媒としての液体にドレン水を利用することで、エコロジーなものとなる。
【００１８】
請求項３記載の本発明は、蛇行する耐熱チューブ通過後のドレン水は、ドレン水受けに流すことを要旨とするものである。
【００１９】
請求項３記載の本発明によれば、蛇行する耐熱チューブ通過後のドレン水は、ドレン水受けに流すことで、通常のドレン水の処理に戻すことができる。
【００２０】
請求項４記載の本発明は、ドレンポンプは、ドレン水受けの水位検知装置の出力をもって駆動制御することを要旨とするものである。
【００２１】
請求項４記載の本発明によれば、蛇行する耐熱チューブ通過後のドレン水は、ドレン水受けに流す場合に、ドレン水の貯留量を把握して溢水することを防止できる。
【発明の効果】
【００２２】
以上述べたように本発明のショーケースの機械室は、食品の販売及び陳列を目的とする冷凍・冷蔵ショーケースの内、圧縮式冷凍装置を設置する機械室と商品の陳列室を構成する箱体とを一体とした内蔵形ショーケースにおいて、冷凍機類ユニットの廃熱により、制御盤内が温度上昇を起こすことの対策として、排気に頼らずに制御盤内の電子部品などの温度低減を行うことができるものである。
【発明を実施するための最良の形態】
【００２３】
以下、図面について本発明の実施形態を詳細に説明する。図１は本発明のショーケースの機械室の１実施形態を示すものとして、機械室の電装ボックスの放熱板の斜視図、図２は同上要部の縦断側面図で、電装ボックス７のインバータ駆動基板には、制御装置の放熱用として放熱板１０を適宜間隔を存して並列させて設けた。
【００２４】
この放熱板１０は一例としてアルミニウム合金を素材とし、ベース板１１から間隔を存して突設する。
【００２５】
前記放熱板１０間に金属製または合成樹脂製の耐熱チューブ１２を蛇行させて配設し、この耐熱チューブ１２に冷媒としての液体を流すこととした。耐熱チューブ１２の耐熱は放熱板１０の高温に耐える程度のものである。耐熱チューブ１２は、放熱板１０間を縫うように蛇行する。
【００２６】
また、耐熱チューブ１２は耐熱ビニールチューブによる可撓性のものでもよいが、可撓性・非可撓性いずれの場合も熱伝道性がよく、中に流す冷媒としての液体が放熱板１０の熱を吸収できることが必要である。
【００２７】
前記耐熱チューブ１２に冷媒としての液体はドレン水とし、ドレンポンプにより汲み上げる。なお、ドレン水については、冷熱機器の一例であるスーパーマーケットなどの店舗に設置される冷凍冷蔵ショーケースは、商品収納庫の商品の出入口が開放されているため、ここから暖かい外気が流入し、これに含まれる湿気が冷却器で結露し霜となり、この着霜により冷却器の能力が低下することを防ぐため、適宜除霜するが、除霜された水分がドレン水として発生する。
【００２８】
このドレン水は、通常は排水用のパイプが接続されてこのパイプで排出されるが、これにドレンポンプ１３（図３参照）を設けて前記耐熱チューブ１２に流す。
【００２９】
また、耐熱チューブ１２の先はこれをドレン水受け４に導き、蛇行する耐熱チューブ１２を通過後のドレン水は、ドレン水受け４に流す。
【００３０】
ドレン水受け４の上部には超音波センサ９が設置され、超音波センサ９のパルス発振部である送信回路部から発信されたパルス信号が水面で反射されて受信回路部に戻るまでの時間を計測し、この時間をもとに演算処理回路部で超音波センサ９と水面との距離、すなわち水位を算出し、満水の場合は、ドレン水満水警報ランプ８が点灯し、ドレン水受け４にドレン水が満水になったことを報知するが、図３に示すように、超音波センサ９によるドレンセンサ１４のドレン水受け４の水位検知出力を制御装置１４に導入し、制御装置１４からの出力でドレンポンプ１３を駆動制御する。
【００３１】
さらに、前記放熱板１０に温度センサを設け、この放熱板１０の温度検知出力を制御装置１４に導入し、制御装置１４からの出力でドレンポンプ１３を駆動制御することもできる。
【００３２】
次に使用法について説明すると、放熱板１０の温度が一定以上になったことを温度センサが検知し、制御装置１４からの出力でドレンポンプ１３が始動し、放熱板１０間の耐熱チューブ１２にドレン水を流す。これにより、電装ボックス７のインバータ駆動基板の放熱板１０の熱を奪い、電子部品などの温度の低減を行う。
【００３３】
そして、放熱板１０間を通った後は、ドレン水受け４に流れる。
【００３４】
ドレン水受け４にドレン水が満水になった場合には、超音波センサ９によるドレンセンサの検知で、制御装置１４によりドレンポンプ１３を停止し、耐熱チューブ１２にドレン水を流さないようにする。
【００３５】
なお、前記ドレンポンプ１３のドレンポンプ１３よりのドレン水のくみ上げは、これをドレン水受け４から行うことも可能であり、その場合はドレン水は、ドレン水受け４→耐熱チューブ１２→ドレン水受け４と循環する。
【図面の簡単な説明】
【００３６】
【図１】本発明のショーケースの機械室の１実施形態を示すものとして、放熱板の斜視図である。
【図２】本発明のショーケースの機械室の１実施形態を示すものとして、放熱板の縦断側面図である。
【図３】本発明のショーケースの機械室の１実施形態を示すブロック図である。
【図４】ショーケースの機械室の一例を示す斜視図である。
【符号の説明】
【００３７】
１  商品収納庫                ２  凝縮器
３  機械室                    ４  ドレン水受け、
５  圧縮機                    ６  蒸発板
７  電装ボックス              ８  満水警報ランプ
９  超音波センサ              １０  放熱板
１１  ベース板                １２  耐熱チューブ
１３  ドレンポンプ            １４  制御装置
【図１】
2011252691.tif 000003
【図２】
2011252691.tif 000004
【図３】
2011252691.tif 000005
【図４】
2011252691.tif 000006